(57)【特許請求の範囲】
【請求項１】
外装筐体に固定された本体回路部と、ディスクをセットして装置本体に収納されるトレーに設けられるディスク駆動回路部と、前記本体回路部と前記ディスク駆動回路部とを電気的に接続すると共にフラット形状を有しかつＵ字形のフレキシブルプリントケーブルとを具備するトレー組込み型ディスク駆動装置において、前記フレキシブルプリントケーブルが、前記トレーに接続する端辺近傍の、前記トレーを前記装置本体の内部で所定の最奥の位置に収納して固定した際に形成される湾曲部分を含む箇所で、ケーブル幅を前記端辺幅より狭く形成した幅狭部を備えることを特徴とするトレー組込み型ディスク駆動装置。
【請求項２】
請求項１において、前記幅狭部は、平行するプリントされた導線の間隔が許容範囲まで狭く、前記導線の部分を残した切り欠きを両側の長辺部分のうち少なくとも一方に有することを特徴とするトレー組込み型ディスク駆動装置。
【発明の詳細な説明】
【０００１】
【発明の属する技術分野】
本発明は、外装筐体に固定された本体回路部と、ディスクをセットして装置本体に収納されるトレーのディスク駆動回路部とを電気的に接続すると共にフラット形状を有しかつＵ字形のフレキシブルプリントケーブル（以後、ＦＰＣと略称する）に関し、特に、トレーを装置本体に収納して固定した際に形成される湾曲部分に発生する応力によりトレーが傾き、セットされたディスクが装置本体内部で接触してディスクの回転により生じる摩擦を回避することができるトレー組込み型ディスク駆動装置に関する。
【０００２】
【従来の技術】
この種のディスク駆動装置は、構造上、大別して次の二つのタイプに分けることができる。第１のタイプのディスク駆動装置は、光ピックアップ、ディスクモータ、ターンテーブル等のディスク駆動・再生機構をトレーに組み込んだタイプであり、第２のタイプのディスク駆動装置は、光ディスクのみをトレーに搭載し上記ディスク駆動・再生機構を装置本体である筐体側に内蔵したタイプである。以後、前者である第１のタイプのディスク駆動装置をトレー組込み型ディスク駆動装置と呼び、後者である第２のタイプのディスク駆動装置をユニット内蔵型ディスク駆動装置と呼ぶことにする。本発明はトレー組込み型ディスク駆動装置に係る。そのようなトレー組込み型ディスク駆動装置には、例えば、特開平９−４４９５５号公報に開示されたものがある。
【０００３】
上記公開公報に開示されたトレー組込み型ディスク駆動装置は、トレーを収納可能なメインシャーシと、トレーを支持するサブシャーシと、このサブシャーシの上部に取り付けられたベースと、このベースに移動可能に取り付けられたピックアップ部と、ベースに取り付けられたターンテーブルとを備えている。このように、ディスクのような薄い円盤が回転するトレーのベースにはピックアップ部とターンテーブルとが取り付けられているが、トレーを含む装置全体の形状は薄い箱型である。
【０００４】
従来のこの種のディスク駆動装置について図５を参照して説明する。図５は上記メインシャーシである装置本体２０からトレー３０を引き出した際のそれぞれの位置関係を、カバーを透過して示した配置図である。装置本体２０はトレー３０を収納する奥側に本体回路部２１を有する。トレー３０は、上述したようにピックアップ部とターンテーブルとが取り付けられ、ターンテーブルの表面にディスクを装着し、このディスクを回転駆動するステップモータを備えるディスク駆動回路部３１を有している。
【０００５】
ケーブル１１０は、本体回路部２１およびディスク駆動回路部３１それぞれを電気的に接続するため、一方の端辺１１２を本体回路部２１のコネクタ２２、他方の端辺１１３をディスク駆動回路部３１のコネクタ３２それぞれに接続する。また、ケーブル１１０は、トレー３０の裏面で装置本体２０の内面を通過する。更に、トレー３０を装置本体２０の内部に収納しまたは取出すため、ケーブル１１０は平面状の狭い間隙内で両端の位置を遠ざけまたは近づける必要がある。
【０００６】
このため、ケーブル１１０は、薄く平らな面を有するフラット形状なすと共にトレー３０の出し入れのために少なくともトレー３０の移動距離の長さを湾曲できるような構造に形成される。従って、ケーブル１１０は、トレー３０の往復運動のためＵ字形を形成して底部１１１を装置本体２０に固定し、端辺１１３を有する側、すなわちディスク駆動回路部３１のコネクタ３２に接続する側の腕部を湾曲可能にしている。この結果、ケーブル１１０は、通常、全体にフラット形状を有するＵ字形のＦＰＣが用いられている。
【０００７】
このような構成では、トレー３０が装置本体２０の内部における所定の最奥の位置にセットされた際には、図６に示されるように、コネクタ３２に固定される端辺１１３から短い距離でケーブル１１０が湾曲するので、端辺１１３においてケーブル１１０の面に垂直方向に反発力が生じる。
【０００８】
【発明が解決しようとする課題】
上述した従来のフラット形状のＦＰＣ（フレキシブルプリントケーブル）では、トレーが装置本体に挿入される際にはケーブルの湾曲部分が移動するトレー側の端辺に近づき、距離が徐々に短くなるので、ＦＰＣの面に垂直な方向で反発力が徐々に増加する。トレーが装置本体の内部で所定の最奥の位置に固定された際には、トレーのコネクタに固定されるＦＰＣの端辺から最短距離でＦＰＣが湾曲するので、端辺においてＦＰＣの面に垂直方向に最大の反発力が生じる。この結果、トレーが装置本体に対して傾くので、セットされたディスクが装置本体の内面に接触しかつディスクの回転により摩擦を起こす恐れがあるという問題点がある。
【０００９】
本発明の課題は、このような問題点を解決し、トレーが所定の最奥の位置に固定された際でもトレーが装置本体に対して傾くことがなく、従って、セットされたディスクが装置本体の内面に接触することを回避できるＦＰＣ（フレキシブルプリントケーブル）を提供することである。
【００１０】
【課題を解決するための手段】
上述する問題点を解決する手段に、ＦＰＣの湾曲部における反発力を軽減する方法として、ＦＰＣの厚さを薄くする方法がある。しかし、このための製造コストは高くなる。
【００１１】
また、厚さをそのままにして、ＦＰＣの幅を狭める方法がある。その方法の一つは、平行するプリントされた導体それぞれを細めることである。しかし、この構成では導線内部の電流が制限されので採用できない。本発明では、ＦＰＣの幅を狭める他の手段を提案している。
【００１２】
本発明によるトレー組込み型ディスク駆動装置は、外装筐体に固定された本体回路部と、ディスクをセットして装置本体に収納されるトレーに設けられるディスク駆動回路部と、前記本体回路部と前記ディスク駆動回路部とを電気的に接続すると共にフラット形状を有しかつＵ字形のフレキシブルプリントケーブルとを具備するものであって、前記フレキシブルプリントケーブルが、前記トレーに接続する端辺近傍の、前記トレーを前記装置本体の内部で所定の最奥の位置に収納して固定した際に形成される湾曲部分を含む箇所で、ケーブル幅を前記端辺幅より狭く形成した幅狭部を備えている。また、この幅狭部は、平行するプリントされた導線の間隔が許容範囲まで狭く、かつ狭められた導線の部分が中央部に、または一方の側に寄せられて形成され、残された余分の幅部分が両方の長辺側または一方の長辺側を切り欠いた状態に形成されている。
【００１３】
この構成では、トレーを上記装置本体に収納して固定した際に形成される湾曲部分がコネクタと接続する端辺に必要な幅と比較して狭い幅を有しているのでこの幅の狭い部分におけるＦＰＣの湾曲により生じる端辺の反発力が他の幅の広い部分と比較して軽減される。導線に平行する長辺側を切り欠いて形成される狭い幅を有する幅狭部がこのトレーを上記装置本体に収納して固定した際に形成される湾曲部分のみであるとすることにより、狭い導線間隔のために生じる弊害を最小に抑えることができる。また、変更する導線形状はプリントにより形成され、かつ上述した切り欠きはＦＰＣが切り取りにより作成される際に同時に形成できるので、製造上の問題はない。
【００１４】
【発明の実施の形態】
次に、本発明の実施の形態について図面を参照して説明する。図面では、本発明に関する部分は模式的に明示されるが、例えば、再生用のピックアップに関する部分は省略されている。従って、図示される形状および寸法に関する情報は概略を示したものである。
【００１５】
図１は本発明の実施の一形態をＦＰＣ（フレキシブルプリントケーブル）１０の単体で示す平面図である。上述したと同様に、ＦＰＣ１０はフラット形状を有しかつＵ字形をなしている。すなわち、図示されたＦＰＣ１０は、底部１１および底部１１から平行する両腕部１４，１５が両端辺１２，１３に向かって伸びている。
【００１６】
底部１１はＦＰＣ１０を位置決めする位置決め穴１８を有している。腕部１５は端辺１１３の近傍に幅狭部１６を有している。両端辺１２，１３それぞれは二つのコネクタそれぞれに挿入することによりこれらのコネクタ同士の電気的な結合をとる多端子プラグである。この多端子プラグは、コネクタの構造上、所定の大きさおよび幅を必要とする。
【００１７】
図示されるように、Ｕ字形のＦＰＣ１０は、幅狭部１３を除いて、製造上および特性上の利点から多端子プラグに対応する幅を有している。
【００１８】
幅狭部１６は、本発明で設ける、上述した従来のものとは異なる部分である。幅狭部１６では、平行して走る複数のプリントされた導線の太さを変えず、この導線相互の間隔を狭めることにより、切り欠き１７を有し、移動する側のコネクタと接続する端辺１３に近いＦＰＣ１０の湾曲部分に発生する反発力を軽減している。
【００１９】
次に、図１から図４までを併せ参照してＦＰＣ１０の機能について使用状況と共に説明する。
【００２０】
図２は、ディスク装置において、上記メインシャーシである装置本体２０からトレー３０を引き出した際のそれぞれの位置関係を、表面カバーを透視して示した配置図である。
【００２１】
装置本体２０はトレー３０を収納する奥側に本体回路部２１を有する。トレー３０は、上述したようにピックアップ部とターンテーブルとが取り付けられたその表面にディスクを装着し、このディスクを回転駆動するステップモータを備えるディスク駆動回路部３１を有している。
【００２２】
本体回路部２１はディスク駆動回路部３１と電気的に接続するため、ＦＰＣ１０の端辺１２の多端子プラグを挿入して固定するコネクタ２２を備えている。また、ディスク駆動回路部３１は本体回路部２１と電気的に接続するため、ＦＰＣ１０の幅狭部１６を有する端辺１３の多端子プラグを挿入して固定するコネクタ３２を備えている。
【００２３】
ＦＰＣ１０は、トレー３０が装置本体２０の内部に収納されている場合、トレー３０の裏面で装置本体２０の内面を通過する。更に、トレー３０を装置本体２０の内部に収納しまたは取出すため、ＦＰＣ１０は、トレー３０と装置本体２０との平面状の狭い間隙内で両端辺１２，１３の位置を遠ざけまたは近づける必要がある。このため、ＦＰＣ１０はフラットな形状をしている。
【００２４】
また、ＦＰＣ１０は、トレー３０の出し入れのためにＵ字形を形成して底部１１を装置本体２０に固定している。すなわち、ＦＰＣ１０は、フラット形状で少なくとも端辺１３を有する側で湾曲することにより、トレー３０の移動に対応できるような構造を有している。また、ＦＰＣ１０は、幅狭部１６の部分を除き、フレキシブルなプリントケーブルの性能上かつ製造上で必要な厚さ、並びにプリントされた導線における必要な太さおよび大きさの導線間隔を有している。
【００２５】
図２では、トレー３０が装置本体２０からストッパーにより停止するまで引き出されている状態が示されている。従って、幅狭部１６を有する腕部１５が底部１１との境界部分で湾曲している。
【００２６】
図３では、トレー３０が装置本体２０に途中まで収納された状態でのＦＰＣ１０の形状が示されている。図示されるように、ＦＰＣ１０は、腕部１５において幅狭部１６に達する前の、幅の広い部分で湾曲している。この状態では、コネクタ３２に挿入固定されている端辺１３から湾曲部までの距離が大きいことから端辺１３での反発力は大きくならない。本発明により幅が狭い幅狭部１６を底部１１までの間に有することが反発力を更に弱めている。
【００２７】
図４では、トレー３０が装置本体２０に最後まで収納され固定された状態でのＦＰＣ１０の形状が示されている。図示されるように、ＦＰＣ１０は、コネクタ３２に挿入固定されている端辺１３の近くで、幅狭部１６そのものが湾曲している。湾曲する部分の幅が狭いので広い幅のままであるより湾曲による反発力は軽減される。
【００２８】
上述するようなＦＰＣ１０は、幅狭部１６による湾曲部分は、ＦＰＣ１０の残りの部分に対して、プリントされる平行な導線の太さはそのままとし、導線相互の間隔を狭めることにより生じたフラット形状のフレキシブル基板の露出部を切り離した形状である。従って、ＦＰＣ１０は、その製造過程で、フラット形状のフレキシブル基板に導線をプリントの後、図１の示される形状で一気に切り取ることにより作成できるので、成形のための製造工程が増加することはない。
【００２９】
【発明の効果】
以上説明したように本発明によれば、ディスク駆動装置のトレーが装置本体に収納固定された状態で、ＦＰＣの端辺近傍の湾曲部分が幅狭部としてＦＰＣの幅を狭めているため、幅を狭めずに広いままの湾曲部に用いる場合と比較して、湾曲による近接端辺における反発力を軽減することができるという効果を得ることができる。
【００３０】
この結果、ディスク駆動装置のトレーが装置本体に収納され最奥の位置に固定された際でもトレーが装置本体に対して傾くことがなく、従って、セットされたディスクが装置本体の内面に接触することを回避することができる。
【００３１】
なお、幅狭部となる湾曲部分は、プリントされる平行な導線の太さをＦＰＣの残りの部分における導線の太さと同一とし、導線相互の間隔のみを狭めている。この結果、ＦＰＣの幅狭部となる部分で、導線による電流の制限はないが、導線間隔が狭いため、隣接導線からの信号の漏れ、電流路の密集化による発熱などが生じる恐れがある。しかし、トレーが装置本体に収納固定された状態で、ＦＰＣの湾曲部分のみという短い距離の区間であるためこれらの点も問題にならない。
【図面の簡単な説明】
【図１】本発明の実施の一形態を示す平面図である。
【図２】図１の使用状態における関連要素の配置の一形態を示す平面図である。
【図３】図２と異なる使用状態における図１の実施の一形態による平面および側面を示す図である。
【図４】本発明の使用状態における効果的な一形態の平面および側面を示す図である。
【図５】従来の一例を示す平面図である。
【図６】図５の状態から変化して問題となる使用状態における一形態の平面および側面を示す図である。
【符号の説明】
１０    ＦＰＣ（フレキシブルプリントケーブル）
１１    底部
１２、１３    端辺（多端子プラグ）
１４、１５    腕部
１６    幅狭部（湾曲部）
１７    切り欠き
１８    位置決め穴
２０    装置本体
２１    本体回路部
２２、３２    コネクタ
３０    トレー
３１    ディスク駆動回路部
【図１】
0004366559.tif 000002
【図２】
0004366559.tif 000003
【図３】
0004366559.tif 000004
【図４】
0004366559.tif 000005
【図５】
0004366559.tif 000006
【図６】
0004366559.tif 000007